(57)【特許請求の範囲】
【請求項１】
移動可能な台車上に、貯水槽の内部に超音波振動子を配設し、貯水槽に給水口とスチームの吐出口を設けた超音波霧化ユニットを設け、先端に吸引ノズルを取り付けた吸引ホースを集塵タンクの吸引口に着脱自在に接続し、また、吐出口を設けたバキューム式掃除機ユニットと、前記超音波霧化ユニットおよびバキューム式掃除機ユニットを制御する制御ユニットとを前記貯水槽の上に載置したことを特徴とする洗浄装置。
【請求項２】
超音波霧化ユニットは、貯水槽内部でスチームの吐出口下面より下方に上限センサを、超音波振動子の上面より上方に下限センサを取り付け、これら上限センサおよび下限センサの出力信号を制御ユニットに導入し、報知器を作動させる請求項１記載の洗浄装置。
【発明の詳細な説明】
【０００１】
【発明の属する技術分野】
本発明は、ガソリン給油所等に設置するもので、自動車の車内用の洗浄装置に関するものである。
【０００２】
【従来の技術】
従来、自動車の車内用の清掃装置として、ハウジング内に真空発生装置を配設し、ハウジング上部から先端にエアーノズルを有するバキュームホースを導出して車内のゴミを吸い取る掃除機が用いられている。
【０００３】
この掃除機で、車内のシートをクリーニングするにはバキュームホースで大まかなゴミを吸い取った後に、専用の洗剤等を噴霧したり、ヒータ式噴霧器によりスチームを噴霧して汚れを浮き出させて拭き取っていた。
【０００４】
【発明が解決しようとする課題】
しかし、専用洗剤を噴霧した場合、拭き取りが不十分であると搭乗者の衣服にそれが染み込んだり、車内に臭いが残る等の問題があった。また、ヒータ式噴霧器によるスチームは液滴が大きいために、洗い残しが生じる等の問題がある。
【０００５】
本発明の目的は前記従来例の不都合を解消し、自動車の車内のシート等に対して、液滴の細かなスチームの噴霧と、少ない消費電力で、効果的な洗浄を行える洗浄装置を提供することにある。
【０００６】
【課題を解決するための手段】
本発明は前記目的を達成するため、移動可能な台車上に、貯水槽の内部に超音波振動子を配設し、貯水槽に給水口とスチームの吐出口を設けた超音波霧化ユニットを設け、先端に吸引ノズルを取り付けた吸引ホースを集塵タンクの吸引口に着脱自在に接続し、また、吐出口を設けたバキューム式掃除機ユニットと、前記超音波霧化ユニットおよびバキューム式掃除機ユニットを制御する制御ユニットとを前記貯水槽の上に載置したことを要旨とするものである。
【０００７】
請求項１記載の本発明によれば、超音波霧化ユニットでの超音波振動子の駆動は、液体に超音波の振動エネルギーを与え、液面や液内部に周波数固有の毛細表面波やキャビテーションを発生させることにより、液面に無数の毛細表面波をつくり、液体の表面張力を減少させ、規則的分裂を行う。そこで、超音波により液滴の細かいスチームを噴霧して、シート等の隅々まで浸透させて洗浄効果を向上させる。また、ヒータ式の噴霧器に比べて電力消費は少なくてすむ。
【０００８】
請求項２記載の本発明によれば、前記作用に加えて、上限センサおよび下限センサで、貯水槽への水の入れ過ぎ、もしくは水の不足を検知し、報知器により知らせることができる。
【０００９】
【発明の実施の形態】
以下、図面にもとづいて本発明の実施の形態を詳細に説明する。図１は本発明の洗浄装置の１実施形態を示す一部切欠いた側面図、図２は同上斜視図を示すものであり、図中１は枠組まれた本体の下面にキャスター２を有し、後方に手押し用のハンドル３を設けた台車である。
【００１０】
この台車１上に、タンク構造の貯水槽４を設置し、この貯水槽４に給水口５とスチームの吐出口６とを設け、また、内部に超音波振動子７ａを配設して超音波霧化ユニット７とした。
【００１１】
前記貯水槽４内には、貯水槽４の内部でスチームの吐出口６の下面より下方に水位センサとしての上限センサ８を、超音波振動子７ａの上面より上方に水位センサとしての下限センサ９を取り付けた。
【００１２】
さらに、貯水槽４の上に、先端に吸引ノズル１０を取り付けた吸引ホース１１を集塵タンク１３の吸引口１２に着脱自在に接続し、また、吐出口（ブロー）１４を設けたバキューム式掃除機ユニット１５と、前記超音波霧化ユニット７およびバキューム式掃除機ユニット１５を制御する制御ユニット１７とを載置した。
【００１３】
制御ユニット１７は図３に示すような、電源、スチーム、掃除機等の各種スイッチ１６ａ〜１６ｃやこれらのスイッチのオン、オフを示す表示ランプおよび満タン、空の表示ランプ１６ｅを有する操作パネル１６を有し、また、図示は省略するがマイコンによる制御機構や超音波振動子７ａの電気駆動回路としてトランジスタを含む電圧発生回路、およびブザー・音声等による報知器等を内蔵する。
【００１４】
このようにして、超音波霧化ユニット７の上限センサ８および下限センサ９の出力信号を制御ユニット１７に導入し、報知器を作動させるものとした。
【００１５】
使用に際しては、超音波霧化ユニット７のスチームの吐出口６に先端にノズル１８ａを設けたホース１８を接続し、また、バキューム式掃除機ユニット１５の吸引口１２に先端に吸引ノズル１０を取り付けた吸引ホース１１を接続し、給水口５を介して貯水槽４に水を貯える。水の入れ過ぎは、上限センサ８がこれを検知し、表示ランプ１６ｅもしくは報知器で報知する。
【００１６】
自動車の車内シートを洗浄するには、バキューム式掃除機ユニット１５で適宜ゴミを吸い取った後で、超音波霧化ユニット７を作動させてスチームをホース１８のノズル１８ａから吐出して吹き付け、その後、中性洗剤やブラシでのブラッシングで汚れを落とす。
【００１７】
バキューム式掃除機ユニット１５を作動させ、吸引ホース１１の吸引ノズル１０で前記洗浄液等を吸引し、第２回目のスチームを噴射し、再度、吸引ホース１１で吸引する。
【００１８】
貯水槽４の水が少なくなった場合は、下限センサ９がこれを検知して、表示ランプ１６ｅもしくは報知器で報知する。
【００１９】
以上が使い方の一例を示したものであるが、これに限定されず、バキューム式掃除機ユニット１５の吸引と超音波霧化ユニット７のスチームの吐出とを組み合わせた適宜の利用が可能である。
【００２０】
【発明の効果】
以上述べたように本発明の洗浄装置は、自動車の車内のシート等に対して、超音波により液滴の細かなスチームの噴霧で、少ない消費電力で、効果的な洗浄を行えるものである。
【図面の簡単な説明】
【図１】本発明の洗浄装置の１実施形態を示す一部切欠いた側面図である。
【図２】本発明の洗浄装置の１実施形態を示す斜視図である。
【図３】操作パネルの正面図である。
【符号の説明】
１…台車                                ２…キャスター
３…ハンドル                            ４…貯水槽
５…給水口                              ６…吐出口
７…超音波霧化ユニット                  ７ａ…超音波振動子
８…上限センサ                          ９…下限センサ
１０…吸引ノズル                        １１…吸引ホース
１２…吸引口                            １３…集塵タンク
１４…吐出口
１５…バキューム式掃除機ユニット        １６…操作パネル
１６ａ〜１６ｃ…スイッチ                １６ｅ…表示ランプ
１７…制御ユニット                      １８…ホース
１８ａ…ノズル
【図１】
0003630090.tif 000002
【図２】
0003630090.tif 000003
【図３】
0003630090.tif 000004